(57)【要約】【課題】保存袋を破損することなく、且つ、積み重ねられた保管箱を移動させることなく、そのままの状態で、保存液の管理を容易、且つ、効率的に行うことができる分離膜の保管方法を提供すること。【解決手段】内部の保存液４に分離膜３を浸漬させて収納した保存袋２を保管箱１内に格納して保管する方式を採用する前記分離膜３の保管方法において、前記保管箱１には、これを重ねたときに外側に現れる側面の少なくとも１つに開口部７を形成し、前記保存袋２に管２ａを密閉可能に付設するとともに、該管２ａの端部を保管箱１に形成された前記開口部７に臨ませる。【選択図】図１
2005205340.tif 000002
【特許請求の範囲】
【請求項１】
内部の保存液に分離膜を浸漬させて収納した保存袋を保管箱内に格納して保管する方式を採用する前記分離膜の保管方法において、
前記保管箱には、これを重ねたときに外側に現れる側面の少なくとも１つに開口部を形成し、前記保存袋に管を密閉可能に付設するとともに、該管の端部を保管箱に形成された前記開口部に臨ませたことを特徴とする分離膜の保管方法。
【請求項２】
前記保存袋の一部を延長して前記管を保存袋と一体に形成したことを特徴とする請求項１記載の分離膜の保管方法。
【請求項３】
前記保存袋とは別体の管を保存袋に脱着可能に取り付けたことを特徴とする請求項１記載の分離膜の保管方法。
【請求項４】
前記管を前記保存袋の内部まで挿入したことを特徴とする請求項３記載の分離膜の保管方法。
【請求項５】
前記管の端部を弁又は止め金或は結束によって開口可能に封止したことを特徴とする請求項１〜４の何れかに記載の分離膜の保管方法。
【発明の詳細な説明】
【技術分野】
【０００１】
本発明は、湿潤状態で保管される分離膜の保管方法に関する。
【背景技術】
【０００２】
分離膜（膜モジュール）を用いた膜分離技術は、各種用水や飲料水等の分野で近年広く利用されているが、この技術に用いられる分離膜を予備として保管することが多い。
【０００３】
ところで、分離膜には、乾燥状態で保管可能なものと、湿潤状態で保管しなければ性能が劣化するものとがある。
【０００４】
斯かる分離膜のうち、湿潤状態で保管すべき分離膜は、ビニール袋等の保存袋内に満たされた保存液に浸漬された状態で保管される。ここで、保存液としては、膜面での微生物の繁殖による膜性能の劣化を防止するための防腐剤や滅菌剤が用いられ、凍結防止のために凍結防止剤が添加される場合もある（特許文献１，２参照）。
【０００５】
【特許文献１】特開平６−２６２０４５号公報
【特許文献２】特開平８−２０６４７１号公報
【発明の開示】
【発明が解決しようとする課題】
【０００６】
ところで、分離膜を収納した保存袋は、更に段ボール箱や木箱等の保管箱に収納されるが、長期保管の場合には保存液の管理が必要となる。この保存液の管理に際しては、保管箱から保存袋を取り出し、取り出した保存袋を開封して保存液を抜き取り、これに含まれる滅菌剤等の濃度を測定し、濃度が減少している場合には滅菌剤等を追加注入する等の作業を行い、作業終了後は保存袋の開封部分にテープ等を接着してその部分を密閉し、最後に保存袋を保管箱に再び収納することが行われている。
【０００７】
１つの保管箱であっても、箱を開けて保存袋を取り出し、保存液を点検することは面倒であり、まして保管箱が多い場合、これらの保管箱は所定の保管場所に積み重ねて保管されており、このような場合に下に詰まれた保管箱に収納された保管袋に対して前述の保存液の管理を行うには、その上に重ねられた保管箱を一旦横置きして行う必要があり、その作業が面倒で多大な時間を要するという問題があった。特に、近年は分離膜が大型化しており、これに伴って保管箱は大型化及び高重量化しており、従って、保存液の管理に際して保管箱の入れ換え作業には多大な労力を要し、非効率的でもあった。
【０００８】
本発明は上記問題に鑑みてなされたもので、その目的とする処は、保存袋を破損することなく、且つ、積み重ねられた保管箱を移動させることなく、そのままの状態で、保存液の管理を容易、且つ、効率的に行うことができる分離膜の保管方法を提供することにある。
【課題を解決するための手段】
【０００９】
上記目的を達成するため、請求項１記載の発明は、内部の保存液に分離膜を浸漬させて収納した保存袋を保管箱内に格納して保管する方式を採用する前記分離膜の保管方法において、前記保管箱には、これを重ねたときに外側に現れる側面の少なくとも１つに開口部を形成し、前記保存袋に管を密閉可能に付設するとともに、該管の端部を保管箱に形成された前記開口部に臨ませたことを特徴とする。
【００１０】
請求項２記載の発明は、請求項１記載の発明において、前記保存袋の一部を延長して前記管を保存袋と一体に形成したことを特徴とする。
【００１１】
請求項３記載の発明は、請求項１記載の発明において、前記保存袋とは別体の管を保存袋に脱着可能に取り付けたことを特徴とする。
【００１２】
請求項４記載の発明は、請求項３記載の発明において、前記管を前記保存袋の内部まで挿入したことを特徴とする。
【００１３】
請求項５記載の発明は、請求項１〜４の何れかに記載の発明において、前記管の端部を弁又は止め金或は結束によって開口可能に封止したことを特徴とする。
【発明の効果】
【００１４】
請求項１記載の発明によれば、保存袋に付設された管を保管箱に形成された開口部に臨ませたため、保存液の管理に際しては、保存袋を破損することなく、且つ、積み重ねられた保管箱を移動させることなく、そのままの状態で、その管を介して保存袋内の保存液の管理を行うことができ、保存袋を破損することなく、且つ、積み重ねられた保管箱を移動させることなく、そのままの状態で、保存液の管理を容易、且つ、効率的に行うことができる。
【００１５】
請求項２記載の発明によれば、保存袋の一部を延長して管を保存袋と一体に形成したため、管を別途取り付ける作業が不要となる。
【００１６】
請求項３記載の発明によれば、保存袋とは別体の管を保存袋に脱着可能に取り付けたため、保存袋に変更を加えることなく、従前の保存袋をそのまま使用することができる。
【００１７】
請求項４記載の発明によれば、管を保存袋の内部まで挿入したため、滅菌剤等の薬剤を追加注入する場合には、薬剤を保存袋の内部まで送り込むことができる。
【００１８】
請求項５記載の発明によれば、管の端部を弁又は止め金或は結束によって開口可能に封止したため、保存液の管理に際しては管の端部の封止を容易に解除して作業を行うことができ、作業終了後は管の端部を容易に封止することができる。
【発明を実施するための最良の形態】
【００１９】
以下に本発明の実施の形態を添付図面に基づいて説明する。
【００２０】
図１は保存袋を格納した保管箱の一部を破断した斜視図、図２は複数の保管箱を積み重ねて保管している状態を示す部分斜視図である。
【００２１】
図１において、１は直方体の段ボール箱や木箱等の保管箱であって、これの上面は開放され、この開放された上面は脱着可能な開閉蓋１ａによって閉じられている。そして、この保管箱１内にはビニール袋等の保存袋２が格納されており、この保存袋２内には分離膜３が保存液４に浸漬された状態（つまり、湿潤状態）で収納されている。
【００２２】
尚、保存袋２内に充填された前記保存液４としては、防腐剤や滅菌剤としてホルムアルデヒドの水溶液、次亜塩素酸ナトリウムの水溶液又はこれらの混合液等が用いられ、凍結による分離膜３の破損を防ぐため、グリセリン、アルコール類等の有機系の凍結防止剤が必要に応じて添加される。
【００２３】
ところで、前記保存袋２は、図３に示すように、その一部が延長されて管２ａが一体的に形成されている。具体的な製造法としては、ビニール筒の一端から前記管２ａを一体的に延長し、その一端の管２ａを除く部分と他端の全部をヒートシールすることによって保存袋２を得る方法が考えられる。このように、保存袋２の一部を延長して管２ａを保存袋２と一体に形成すれば、管を別途取り付ける作業が不要となる。
【００２４】
ここで、管２ａは、保存袋２内に充填された保存液４の点検及び補充用であって、その先端部は、図４（ａ）に示す弁５、同図（ｂ）に示す止め金６、同図（ｃ）に示す結束等によって開口可能に封止されている。
【００２５】
而して、分離膜３を収納して成る保存袋２が格納された保管箱１が多数の場合には、図２に示すように、これらの保管箱１は所定の保管場所に積み重ねて保管されるが、積み重ねられた各保管箱１の外側に現れる側面（正面に現れる手前側の面）にはメンテナンス用の矩形の開口部７がそれぞれ形成されている。そして、各保管箱１に形成された前記開口部７には、該保管箱に格納された保存袋２から延びる管２ａの先端部が臨んでおり、その先端部は図４（ａ）〜（ｃ）に示す何れかの手段によって開口可能に封止されている。
【００２６】
ところで、分離膜３を長期保管する場合には保存袋２内の保存液４の管理が必要となるが、本実施の形態では、前述のように保存袋２から一体に延びる管２ａを保管箱１に形成されたメンテナンス用の開口部７に臨ませたため、保存液４の管理に際しては、保存袋２を破損することなく、且つ、積み重ねられた保管箱１を移動させることなく、そのままの状態で、その管２ａを介して保存袋２内の保存液４の管理を容易、且つ、効率的に行うことができる。即ち、保管箱１に形成された開口部７に臨む管２ａの先端部の封止を解除し、その管２ａから保存袋２内の保存液４の一部を取り出し、これに含まれる防腐剤等の濃度を測定し、濃度が減少している場合には防腐剤等を追加注入する等のメンテナンス作業を行う。そして、保存液４の管理が終了すると、管２ａの先端部を図４（ａ）〜（ｃ）に示す何れかの手段によって封止すれば、全ての作業が終了する。
【００２７】
従って、本実施の形態によれば、保存液４の管理に際して、従来のように上に重ねられた保管箱１を一旦横置きする必要がなく、保管箱１から保存袋２を取り出し、取り出した保存袋２を開封する必要がないため、保存液４の管理を容易、且つ、効率的に行うことができる。そして、管２ａの先端部を図５（ａ）〜（ｃ）に示すように弁５又は止め金６或は結束によって開口可能に封止したため、保存液４の管理に際して管２ａの先端部の封止を容易に解除して作業を行うことができ、作業終了後は管２ａの端部を容易に封止することができる。
【００２８】
次に、保存袋２の別形態を図５〜図７に基づいて説明する。
【００２９】
図５は別形態に係る保存袋の側面図、図６は管の保存袋への取付構造を示す側断面図、図７は同分解斜視図である。
【００３０】
本形態では、従来から使用されている保存袋２に、これとは別体のビニールチューブ等の管８を脱着可能に取り付けている。
【００３１】
即ち、図７に示すように、保存袋２に形成された円孔２ｂの内側からパッキン９を介してボルト材１０の雄ねじ部１０ａを通し、このボルト材１０の雄ねじ部１０ａにパッキン１１を介してナット材１２の雌ねじ部１２ａを螺着し、このナット材１２に一体に形成されたニップル１２ｃに管８を差し込んで接続することによって、別体の管８を保存袋２に脱着可能に取り付けることができる。尚、図６に示すように、前記ボルト材１０とナット材１２の各中心部には連通孔１０ｂ，１２ｂがそれぞれ貫設されており、管８の先端部は図４（ａ）〜（ｃ）に示す何れかの手段によって開口可能に封止される。
【００３２】
このように、保存袋２とは別体の管８を保存袋２に脱着可能に取り付ける構成を採用すれば、保存袋２に変更を加えることなく、従前の保存袋２をそのまま使用することができる。
【００３３】
ところで、図８に示すように、別体の別の管１３を保存袋２の内部まで挿入するようにしても良く、この場合の管１３の保存袋２への取付構造を図９に示す。
【００３４】
即ち、図９は管１３の保存袋２への取付構造を示す側面図であり、本形態では、図６及び図７に示した取付構造において、ボルト材１０の雄ネジ部１０ａとは反対側にニップル１０ｃを一体に突設し、このニップル１０ｃに管１３を差し込んで接続することによって、図８に示すように、管１３を保存袋２の内部まで挿入することができる。尚、図９においては、図６及び図７に示したものと同一要素には同一符号を付している。
【００３５】
而して、管１３を保存袋２の内部まで挿入したため、滅菌剤等の薬剤を追加注入する場合には、薬剤を保存袋２の内部まで送り込むことができる。
【産業上の利用可能性】
【００３６】
本発明は、湿潤状態で保管される分離膜の保管方法に対して適用可能であって、分離膜の形態を問わない。即ち、平膜、チューブラー、中空糸膜等、如何なる形態の分離膜の保管に対しても適用可能である。
【図面の簡単な説明】
【００３７】
【図１】保存袋を格納した保管箱の一部を破断した斜視図である。
【図２】複数の保管箱を積み重ねて保管している状態を示す部分斜視図である。
【図３】保存袋の側面図である。
【図４】（ａ）〜（ｃ）は管の先端部の封止手段の形態を示す斜視図である。
【図５】別形態に係る保存袋の側面図である。
【図６】管の保存袋への取付構造を示す破断側面図である。
【図７】管の保存袋への取付構造を示す分解斜視図である。
【図８】別形態に係る保存袋の側面図である。
【図９】管の保存袋への取付構造を示す破断側面図である。
【符号の説明】
【００３８】
１    保管箱
２    保存袋
２ａ  管
３    分離膜
４    保存液
５    弁
６    止め金
７    開口部
８    管
９    パッキン
１０  ボルト材
１１  パッキン
１２  ナット材
１３  管
【図１】
2005205340.tif 000003
【図２】
2005205340.tif 000004
【図３】
2005205340.tif 000005
【図４】
2005205340.tif 000006
【図５】
2005205340.tif 000007
【図６】
2005205340.tif 000008
【図７】
2005205340.tif 000009
【図８】
2005205340.tif 000010
【図９】
2005205340.tif 000011